(57)【要約】      （修正有）【課題】低インピーダンス駆動による制動力を有し、より平坦な周波数特性を示し、共振点ｆ０での盛り上がりに起因する制動力不足を解消する電流負帰還―電流駆動／電圧駆動増幅器を提供する。【解決手段】複数のボイスコイルを有するスピーカーを駆動するためのスピーカー電流駆動増幅器であって、当該電流駆動増幅器の出力からの負帰還インピーダンス部材にスピーカーユニットのボイスコイルと、それに直列につながる抵抗器とで、その負帰還回路を構成し電流駆動を行う手段と、スピーカー電流駆動増幅出力部とアース３９間にスピーカーユニットの他のボイスコイルを接続し電圧駆動する手段とを設ける。【選択図】図５
2019004494.tif 000002
【特許請求の範囲】
【請求項１】
スピーカー駆動システムであって、接続されるべき複数のボイスコイルから成るスピーカーユニットと、電力利得１のバッファーアンプ部と、当該バッファーアンプ部の出力部を流れる電流の検出部と、電流加算部と、電流―電圧変換部と、電圧駆動増幅部と、電流負帰還部とを具備し、当該電圧駆動増幅部からの出力端とアース間に当該スピーカーユニットのボイスコイルを接続し、当該電圧駆動増幅部からの出力端と当該バッファーアンプ部の出力端との間に当該スピーカーユニットの他のボイスコイルを接続する、スピーカーユニットを含めた電流―電圧駆動増幅器の機能を有することを特徴とするスピーカー駆動システム。
【請求項２】
複数のボイスコイルから成るスピーカーユニットを駆動するためのスピーカー電流駆動増幅器であって、当該スピーカー電流駆動増幅器の出力からの負帰還インピーダンス部材に前記スピーカーユニットのボイスコイルと、それに直列につながる抵抗器とで、その負帰還回路を構成し電流駆動を行う手段と、前記スピーカー電流駆動増幅器出力部とアース間に前記スピーカーユニットの他のボイスコイルを接続し電圧駆動する手段とを備えることを特徴とするスピーカー電流―電圧駆動増幅システム。
【発明の詳細な説明】
【技術分野】
【０００１】この発明はスピーカーを電流駆動するためのオーデイオ電流負帰還―電流駆動増幅器に関するものである。
【背景技術】
【０００２】従来、スピーカーの再生には電圧駆動型のスピーカー駆動パワー増幅器が一般に実用上使用されており電流駆動型のパワー増幅器はほとんど市販されていない。
【先行技術文献】
【０００３】
【特許文献】
【特許文献】特願  ２０１４−３７４５１
【発明の概要】
【発明が解決しようとする課題】
【０００４】従来のスピーカー駆動パワー増幅器は、ほとんど電圧駆動型であるが、一般のダイナミックスピーカーは低域に共振点ｆ０を有し、電気インピーダンスが上昇し、当該スピーカーに流れる電流は減少し、パワーが入り難いので低域での音圧が減る欠点がある。一方、電流駆動増幅器は一般に市販されていない。また、定電流駆動型なのでスピーカーの低域で生ずる共振点ｆ０で電気インピーダンスが増加し、それに応じてパワーが増加し、音圧が上昇し周波数特性が平坦でなくなる欠点がある。本発明により、低インピーダンス出力による制動力を有し、平坦な周波数特性を示し、前記共振点ｆ０での盛り上がりに起因する最大出力限界問題を解決した電流負帰還電流駆動増幅器とするものである。また、本発明による電流駆動出力と電圧駆動出力とをもってスピーカーユニットのダブルボイスコイルを駆動し、モーショナルフィードバック動作を行い、コーン振動板の自由振動を制御し歪成分を抑える。これによってスピーカー箱内に生ずる背圧からの歪成分の低減や、外部音圧からのコーン振動によるによる歪成分の低減や、スピーカーケーブルにのる外来ノイズ成分の低減をはかるものである。
【課題を解決するための手段】
【０００５】本発明は電流負帰還回路にスピーカーユニットのボイスコイルを負帰還ネットワークとして動作させ、かつ当該スピーカーユニットを電流駆動とし、低域共振周波数ｆ０での音圧の盛り上がりを平坦に抑えることである。【０００６】請求項１について本発明は前記課題の解決のため以下の手段を案出した。  スピーカー駆動システムであって、接続されるべき複数のボイスコイルから成るスピーカーユニットと、電力利得１のバッファーアンプ部と、当該バッファーアンプ部の出力部を流れる電流の検出部と、電流加算部と、電流―電圧変換部と、電圧駆動増幅部と、電流負帰還部とを具備し、当該電圧駆動増幅部からの出力端とアース間に当該スピーカーユニットのボイスコイルを接続し、当該電圧駆動増幅部からの出力端と当該バッファーアンプ部の出力端との間に当該スピーカーユニットの他のボイスコイルを接続する、スピーカーユニットを含めた電流―電圧駆動増幅器の機能を有するスピーカー駆動システムである。【０００７】請求項２について本発明は前記課題の解決のため以下の手段を案出した。        複数のボイスコイルから成るスピーカーユニットを駆動するためのスピーカ電流駆動増幅器であって、当該スピーカー電流駆動増幅器の出力からの負帰還インピーダンス部材に前記スピーカーユニットのボイスコイルと、それに直列につながる抵抗器とで、その負帰還回路を構成し電流駆動を行う手段と、前記スピーカー電流駆動増幅器出力部とアース間に前記スピーカーユニットの他のボイスコイルを接続し電圧駆動する手段とを備えることを特徴とするスピーカー電流―電圧駆動増幅システム。
【発明の効果】
【０００８】請求項１によるモーショナルフィードバックも含めて、本発明によるモーショナルフィードバックによる効果を以下に示す。スピーカー駆動時、電流駆動するスピーカーユニットのボイスコイルに発生する逆起電圧の大きさはそのボイスコイルの速度に対応しているので、スピーカーの振動板の速度に比例した信号として逆起電圧を取り出す。また、電流駆動部を兼ねているこのボイスコイルによる逆起電圧検出部は、この逆起電圧に対して無制動で無負荷状態で電流が流れないので、このボイスコイルにつながる前記スピーカーユニットの振動板は動きやすく、受音面積が広くモーショナルフィードバック（以下ＭＦＢと略す）検出コイルとして感応性が高く、応答性も速く、また電流駆動兼用になっている。【０００９】スピーカーの制動力は電磁誘導によって振動板を止めるが、本発明では電磁制動より大きなメカニカルな制動である電流駆動出力と電圧駆動出力とによるＭＦＢ機能をもって行う。【００１０】低域周波数帯での共振周波数ｆ０近傍や高域周波数帯域ではインピーダンス成分の増加により電流駆動出力部では出力電力が増加し、この電気エネルギーがスピーカー振動の運動エネルギーに追従し出力電圧レベルが盛り上がる。従ってＭＦＢを掛ける際、前記共振周波数ｆ０近傍帯域や前記高域周波数帯域で入力信号をブーストする必要はなく直接ＭＦＢ動作を行う事が出来るので回路を簡素化でき、又それに伴って音質を劣化することもない。本発明によるＭＦＢ方式によって周波数特性は低域から高域周波数帯域にわたって広帯域にＭＦＢを掛け、このレスポンスを平坦にする事が出来る。ＭＦＢを掛ける帯域をフィルターにかけて狭くする必要はなく、また入力信号をブーストする必要もなく回路の簡素化と音質の向上をはかれる。【００１１】駆動増幅器からの出力信号がなくなった場合に振動板には慣性をもって動くので、これによって逆起電力が発生し音質劣化の避けられない歪となる。電流駆動では無制動になるが、本発明による広帯域にわたるＭＦＢによって立ち上がりや立下りの過渡特性を当該逆起電圧を抑制することにより歪を抑え応答性の速い音圧過渡特性を得ている。【００１２】入力信号に無い外乱を本発明によるＭＦＢ方式によって制御する。スピーカーユニットの振動板自体がスピーカー箱の内外から音圧を受け振動しこれがそのボイスコイルに伝達し、磁界の中で振動し逆起電圧を生み出す。この逆起電圧によって本発明によるＭＦＢが働き、当該逆起電圧を相殺し前記スピーカーユニットの振動板の振動を抑制する。【００１３】これによって（１）スピーカー箱内部からの背圧や内部で発生する定在波による振動を抑制する。（２）スピーカーから出た音が壁に反射してスピーカーユニットのボイスコイルに逆起電力として出る。これを相殺して振動を抑制する。（３）他チャンネルスピーカーからの音圧や残響音もその振動板を制御する。（４）部屋で発生する定在波からの反動により発生する逆起電圧からの振動板の振動を抑制しこれによる歪を抑える。（５）入力信号が絶えず入り続ける状態の増幅器からスピーカーに信号が入っている場合も、同時並行的にＭＦＢ動作が行われる。動作経路もシンプルなので応答性も早く精微な音源再生に近づけるものである。【００１４】請求項２について図５に基づいて説明する。本発明の方式によって図５に示す増幅器Ａ（４０）の出力点（４１）とアース（３９）間にダブルボイスコイルの一方を接続し、他端に負帰還ボイスコイルを接続すると当該負帰還ボイスコイルから発生する逆起電圧が出力点（４１）とアース（３９）間にある電圧駆動するボイスコイルに働き、両ボイスコイルは同一筒に捲かれ機械的に結合しているので、モーショナルフィードバックが働き、直線性が増し、歪が改善される。さらに低インピーダンス出力の電圧駆動と連動しているので、ダンピングファクターは大きくなり制動効果が働き、電流駆動の制動の利かない欠点を取り去っている。【００１５】増幅器Ａ（４０）から電流駆動用スピーカーと電圧駆動用スピーカーを同時に同時に駆動できる。【００１６】共振時のＱが低くなるので密閉箱では小型の箱でも低音再生が可能となる。【００１７】電流駆動特性を示し、同時に電圧駆動特性である逆起電力によって制動力を持つ。本発明は共振点ｆ０でのインピーダンスの盛り上がりの小さくする電流駆動と、低インピーダンス駆動の電圧駆動の特性を併せ持つものである。
【図面の簡単な説明】
【００１８】
【図１】は本発明の動作原理図である。
【図２】は本発明による周波数スペクトラム特性である。
【図３】は本発明の動作説明図である。
【図４】は本発明の動作説明図である。
【図５】は本発明のブロックダイアグラムである。
【図６】は図５に示された回路のブロックダイアグラムである。
【発明を実施するための形態】
【００１９】請求項１について図５に基づいて説明する。スピーカーユニットのボイスコイルにおいて、コイル１（４４）とコイル２（４２）に流れる電流をそれぞれｉ１，ｉ２とし増幅器Ａ（４０）からの出力電流をｉｏとすると当該出力電流ｉｏ＝ｉ１＋ｉ２となる。前記コイル１（４４）における駆動電力Ｐ１＝ｉ１（ｅｏ＋ｖ１）となり、前記コイル２（４２）における駆動電力Ｐ２＝ｉ２（ｅｏーｖ２）となる。ここでｅｏは信号出力電圧とし、＋ｖ１はコイル１（４４）において発生する逆起電圧とする。前記コイル１（４４）で発生する前記逆起電圧＋ｖ１は電流駆動により発生するものである。前記逆起電圧―ｖ２は前記増幅器Ａ（４０）の出力点（４１）とアース（３９）間にあるコイル２（４２）内で電圧駆動出力により位相が反転した逆起電圧―ｖ２として出る。前記コイル１（４４）と前記コイル２（４２）での音圧として生ずる力の要因となる、トータル駆動電力Ｐｏ＝Ｐ１＋Ｐ２＝ｉ１（ｅｏ＋ｖ１）＋ｉ２（ｅｏ−ｖ２）＝ｅｏ（ｉ１＋ｉ２）＋（ｖ１ｉ１−ｖ２ｉ２）で表わされ、前記コイル１（４４）と前記コイル２（４２）の電気インピーダンスは略等しくし、前記ボイスコイルに流れる電流であるｉ１とｉ２を等しくすることで前記駆動電力Ｐｏ＝２ｅｏｉ１となりｉ１は定電流駆動による定電流である。これは前記コイル１（４４）での逆起電力Ｐｖ１＝ｖ１ｉ１と前記コイル２（４２）での逆起電力Ｐｖ２＝ｖ２ｉ２においてＰｖ１＝Ｐｖ２の関係を保てば同様の働きをする。
本発明によるＭＦＢ方式によって前記逆起電圧＋ｖ１と−ｖ２により力Ｆ１＝Ｆ２となり互いに反対方向に働く力となり相殺され、これによるコイル１（４４）とコイル２（４２）はダブルボイスコイルにとして機械的に結合しているので動かない。
従って前記ボイスコイルにつながる振動板は動かず前記スピーカーユニットで発生する逆起電圧＋ｖ１，−ｖ２に起因するひづみの除去になっている。Ｐｖ１＞Ｐｖ２では電流駆動が勝り、電流駆動による周波数特性を示し、Ｐｖ１＜Ｐｖ２では電圧駆動が勝り、電圧駆動による周波数特性を示す。Ｐｖ１＝Ｐｖ２の場合に共振周波数ｆ０での盛り上がりが消え、周波数特性は平坦になる。図４に示す様にボスコイルが別々のスピーカーユニット  Ｚｓｐ１（６２）と同Ｚｓｐ２（６５）からの逆起電力による音圧は空気中に放散した互いの位相の反転した音圧として相殺され同様の効果が得られる。
本発明のダブルボイスコイルでのモーショナルフィードバック動作によって、出力音圧パワーには逆起電力のファクターは消えて無くなり等価的に無誘導ボイスコイル特性を示し、周波数特性の直線性が得られ、位相歪が減少する。
【００２０】請求項２に関して図５に基づいて説明する。  ボイスコイルＢｌ１（４４）は、負帰還形の定電流パワー増幅器によって駆動され、当該Ｂｌ１（４４）に流れる電流は抵抗Ｒｓ（３７）にかかる電圧Ｖ２により一定となる。前記Ｂｌ１（４４）の両端子間は高インピーダンス駆動となり、ここで発生する逆起電圧による電流は流れないがボイスコイルＢｌ２（４２）に電圧としてこの両端子間（片側は  アース）にかかる。一方前記パワー増幅器（４０）の出力端子（４１）とアース（３９）間に接続されているボイスコイルＢｌ２（４２）は定電圧駆動されており、低インピーダンス駆動となっている。前記ボイスコイルＢｌ１（４４）と同Ｂｌ２（４２）は同一筒に巻かれたダブルボイスコイルとなっている。これにより定電流駆動と定電圧駆動が合成された駆動力となる。
【００２１】図６は前記図５に示された回路図の基本ブロックダイアグラムを示している。
以下図６に基づいて説明する。
入力信号Ｖ１は抵抗Ｒｓ（４５）を通して電流ｉ１（４６）となりボイスコイルＢｌ１（４７）を励磁しＦ１＝Ｂ・ｌ１・ｉ１（４８）として駆動力Ｆ１となりスピーカーコーンの振動力となり、その機械インピーダンス１／Ｚｍ（４９）を通して振動速度ｖとなる。一方、入力信号Ｖ１はパワー増幅部〔５１〕を通過して増幅され、前記スピーカーボイスコイルＢｌ２に１／Ｚｖ（５６）を通して電流ｉ２（６０）として供給されＦ２＝Ｂ・ｌ２・ｉ２（５０）となり、ここで前記Ｆ１と当該Ｆ２が機械的に合流し、前記スピーカーコーンを振動させる。前記機械インピーダンス１／Ｚｍ（４９）による速度出力によって逆起電
2019004494.tif 000003
して働く。このＢｌ２（５７）は定電圧駆動となる。また、ボイスコイルＢｌ１（４７）
2019004494.tif 000004
ックされる。ここで出力点（３１）とアース間の出力電圧ー周波数特性は、前記逆起電圧
2019004494.tif 000005
（４８）とＦ２＝Ｂｌ２・ｉ２（５０）は機械的に合成されるが、このＦ２（５０）にはＢｌ１
2019004494.tif 000006
により本発明の増幅システムはダブルボイスコイル駆動増幅器として定電流駆動としての電圧ー周波数特性を備え、また定電圧駆動としての制動力を兼ね備えるものである。
【符号の説明】
【００２２】１：バッファーアンプ
２：電流加算部
３：電流ー電圧変換部
４：スピーカーの電気インピーダンス
５：直列につながる抵抗Ｒｓ
２１：ＴＲ１
２２：ＴＲ２
１８：フィラメント
１９：フィラメント
１３：パワー増幅器Ａ
１４：Ｂｌ１
１７：Ｂｌ２
３５：真空管Ｔ１
３６：真空管Ｔ２
３０：出力トランス
３３：プレート
３４：プレート
４９：機械インピーダンス
５０：Ｆ２
６０：電圧増幅部
４７：ボイスコイルＢｌ
６２：Ｚｓｐ１
【図１】
2019004494.tif 000007
【図２】
2019004494.tif 000008
【図３】
2019004494.tif 000009
【図４】
2019004494.tif 000010
【図５】
2019004494.tif 000011
【図６】
2019004494.tif 000012